(57)【要約】【課題】コンパクト化を図ることができ、封止フィルムを円滑に開封することができる混合容器セット及び付加剤収容具を提供する。【解決手段】混合容器セット１０は、容器本体２０、口部２２、収容部１６及び封止フィルム１８を備えている。容器本体２０に設けられた口部２２には、口部２２に対して収容部１６を回転させることによって封止フィルム１８を収容室１４の外側から収容部１６の回転方向に沿って破りながら収容室１４内に進入することが可能な開封用突起５２と、封止フィルム１８が開封された状態で収容室１４内と容器本体２０内とを連通する連通孔とが形成されている。混合容器セット１０Ａを構成する付加剤収容具５６は、容器本体２０に接続可能な口部２２ａを有している。【選択図】図６
2017137114.tif 000002
【特許請求の範囲】
【請求項１】
溶剤を収容する容器本体と、
前記容器本体に設けられた口部と、
前記口部に対する回転によって前記口部に着脱可能に構成され、且つ前記溶剤に加えられる付加剤が収容された収容室を有する収容部と、
前記収容部に接着され、且つ前記収容室内に前記付加剤を封止する封止フィルムと、を備え、
前記口部には、
当該口部に対して前記収容部を回転させることによって前記封止フィルムを前記収容室の外側から前記収容部の回転方向に沿って破りながら前記収容室内に進入することが可能な開封用突起と、
前記口部に前記収容部が接続され且つ前記封止フィルムが開封された状態で前記収容室内と前記容器本体内とを連通する連通孔と、が形成されていることを特徴とする混合容器セット。
【請求項２】
請求項１記載の混合容器セットにおいて、
前記口部には、第１ねじ部が形成され、
前記収容部には、前記第１ねじ部に螺合可能な第２ねじ部が形成され、
前記開封用突起は、前記第１ねじ部及び前記第２ねじ部の締め付け方向への前記収容部の回転によって前記封止フィルムを破りながら前記収容室内に進入するように設けられていることを特徴とする混合容器セット。
【請求項３】
請求項２記載の混合容器セットにおいて、
前記口部は、前記第１ねじ部が形成された第１円筒部を有し、
前記収容部は、
前記第２ねじ部が形成された円筒状の周壁部と、
前記周壁部の片方の開口を閉塞する閉塞部と、
前記閉塞部から延出するとともに前記第１円筒部の内孔に嵌入可能な第２円筒部と、を有し、
前記第２円筒部内には、前記収容室が形成され、
前記封止フィルムは、前記第２円筒部に接着され、
前記開封用突起は、前記第１円筒部の内孔に位置していることを特徴とする混合容器セット。
【請求項４】
請求項３記載の混合容器セットにおいて、
前記開封用突起は、前記回転方向に沿って３６０°未満の所定角度だけ延在していることを特徴とする混合容器セット。
【請求項５】
請求項４記載の混合容器セットにおいて、
前記第１ねじ部及び前記第２ねじ部は、最大締め付け位置に達したときに、前記開封用突起によって前記封止フィルムが破られる角度が３６０°未満であるように形成されていることを特徴とする混合容器セット。
【請求項６】
請求項３〜５のいずれか１項に記載の混合容器セットにおいて、
前記開封用突起は、前記第１円筒部の軸線に沿って延在し、且つ前記第１円筒部のうち前記第２円筒部が嵌入される開口部側に向かって薄肉に形成されていることを特徴とする混合容器セット。
【請求項７】
請求項３〜６のいずれか１項に記載の混合容器セットにおいて、
前記第１円筒部の内周面には、前記第２円筒部が嵌入される開口部側に向かって径方向外方に傾斜した第１テーパ面が形成され、
前記第２円筒部の外周面には、前記第１テーパ面に液密に接触可能な第２テーパ面が形成されていることを特徴とする混合容器セット。
【請求項８】
請求項３〜７のいずれか１項に記載の混合容器セットにおいて、
前記収容部には、前記第１円筒部の先端面に液密に接触するシール突起が形成されていることを特徴とする混合容器セット。
【請求項９】
溶剤を収容する容器本体に設けられた中空状の接続部に接続可能な口部と、
前記口部に対する回転によって前記口部に着脱可能に構成され、且つ前記溶剤に加えられる付加剤が収容された収容室を有する収容部と、
前記収容部に接着され、且つ前記収容室内に前記付加剤を封止する封止フィルムと、を備え、
前記口部には、
当該口部に対して前記収容部を回転させることによって前記封止フィルムを前記収容室の外側から前記収容部の回転方向に沿って破りながら前記収容室内に進入することが可能な開封用突起と、
前記接続部に前記口部が接続されるとともに前記口部に前記収容部が接続され且つ前記封止フィルムが開封された状態で前記収容室内と前記容器本体内とを連通する連通孔と、が形成されていることを特徴とする付加剤収容具。
【発明の詳細な説明】
【技術分野】
【０００１】
本発明は、溶剤を収容する容器本体と溶剤に加えられる付加剤を収容する収容部とを備えた混合容器セット及び付加剤収容具に関する。
【背景技術】
【０００２】
この種の混合容器セットとして、例えば、特許文献１の医薬物質用の滴下ボトルが知られている。この滴下ボトルは、ボトル本体と、ボトル本体の首部に接続されたキャップ部とを備えている。キャップ部は、ボトル本体内の液体に混合させる付加剤を収容する外側円筒体と、付加剤を外側円筒体内に封止するダイアフラムと、外側円筒体内に軸線方向に沿ってスライド可能に配設された内側円筒体とを有している。内側円筒体の下端部は、ダイアフラム（封止フィルム）を外側円筒体の軸線方向に沿って剪断することができるように鏨状又はのみ状に形成（斜めにカット）されている。
【先行技術文献】
【特許文献】
【０００３】
【特許文献１】特開平１１−２９０４２３号公報
【発明の概要】
【発明が解決しようとする課題】
【０００４】
上述した特許文献１のような従来技術では、内側円筒体を外側円筒体に対してボトル本体側にスライドさせることにより、内側円筒体の鏨状の下端部を封止フィルムに押し当てて当該封止フィルムを剪断している。そのため、キャップ部が軸線方向に比較的大きくなるという不都合がある。
【０００５】
また、付加剤が収容されている外側円筒体内に内側円筒体が配設されているため、封止フィルムを剪断する際に、内側円筒体の下端部と封止フィルムとの間に付加剤が入り込むことがある。そうすると、封止フィルムを円滑に開封させることができないおそれがある。
【０００６】
本発明は、このような課題を考慮してなされたものであり、コンパクト化を図ることができ、封止フィルムを円滑に開封することができる混合容器セット及び付加剤収容具を提供することを目的とする。
【課題を解決するための手段】
【０００７】
上記目的を達成するために、本発明に係る混合容器セットは、溶剤を収容する容器本体と、容器本体に設けられた口部と、口部に対する回転によって口部に着脱可能に構成され、且つ溶剤に加えられる付加剤が収容された収容室を有する収容部と、収容部に接着され、且つ収容室内に付加剤を封止する封止フィルムと、を備え、口部には、口部に対して収容部を回転させることによって封止フィルムを収容室の外側から収容部の回転方向に沿って破りながら収容室内に進入することが可能な開封用突起と、口部に収容部が接続され且つ封止フィルムが開封された状態で収容室内と容器本体内とを連通する連通孔と、が形成されていることを特徴とする。
【０００８】
このような構成によれば、開封用突起によって封止フィルムを収容部の回転方向に沿って破ることができるので、混合容器セットのコンパクト化を図ることができる。また、開封用突起を収容室内ではなく口部に形成しているので、開封用突起を封止フィルムに対して直接的に接触させることができる。これにより、封止フィルムを円滑に開封することができる。
【０００９】
上記の混合容器セットにおいて、口部には、第１ねじ部が形成され、収容部には、第１ねじ部に螺合可能な第２ねじ部が形成され、開封用突起は、第１ねじ部及び第２ねじ部の締め付け方向への収容部の回転によって封止フィルムを破りながら収容室内に進入するように設けられていてもよい。
【００１０】
このような構成によれば、第２ねじ部を第１ねじ部に対して締め付けることにより封止フィルムを開封用突起によって円滑に開封することができる。
【００１１】
上記の混合容器セットにおいて、口部は、第１ねじ部が形成された第１円筒部を有し、収容部は、第２ねじ部が形成された円筒状の周壁部と、周壁部の片方の開口を閉塞する閉塞部と、閉塞部から延出するとともに第１円筒部の内孔に嵌入可能な第２円筒部と、を有し、第２円筒部内には、収容室が形成され、封止フィルムは、第２円筒部に接着され、開封用突起は、第１円筒部の内孔に位置していてもよい。
【００１２】
このような構成によれば、簡易な構成により開封用突起を収容室の外側から封止フィルムに接触させることができる。
【００１３】
上記の混合容器セットにおいて、開封用突起は、回転方向に沿って３６０°未満の所定角度だけ延在していてもよい。
【００１４】
このような構成によれば、開封用突起によって封止フィルムが収容部から切り離されることを抑えることができる。
【００１５】
上記の混合容器セットにおいて、第１ねじ部及び第２ねじ部は、最大締め付け位置に達したときに、開封用突起によって封止フィルムが破られる角度が３６０°未満であるように形成されていてもよい。
【００１６】
このような構成によれば、開封用突起によって封止フィルムが収容部から切り離されることを一層抑えることができる。
【００１７】
上記の混合容器セットにおいて、開封用突起は、第１円筒部の軸線に沿って延在し、且つ第１円筒部のうち第２円筒部が嵌入される開口部側に向かって薄肉に形成されていてもよい。
【００１８】
このような構成によれば、開封用突起の先端部を封止フィルムに対して容易に貫通させることができる。
【００１９】
上記の混合容器セットにおいて、第１円筒部の内周面には、第２円筒部が嵌入される開口部側に向かって径方向外方に傾斜した第１テーパ面が形成され、第２円筒部の外周面には、第１テーパ面に液密に接触可能な第２テーパ面が形成されていてもよい。
【００２０】
このような構成によれば、口部及び収容部の間から溶剤、付加剤又は混合剤（以下、溶剤等と称することがある）が漏出することを抑えることができる。
【００２１】
上記の混合容器セットにおいて、収容部には、第１円筒部の先端面に液密に接触するシール突起が形成されていてもよい。
【００２２】
このような構成によれば、口部及び収容部の間から溶剤等が漏出することをさらに抑えることができる。
【００２３】
本発明に係る付加剤収容具は、溶剤を収容する容器本体に設けられた中空状の接続部に接続可能な口部と、口部に対する回転によって口部に着脱可能に構成され、且つ溶剤に加えられる付加剤が収容された収容室を有する収容部と、収容部に接着され、且つ収容室内に付加剤を封止する封止フィルムと、を備え、口部には、口部に対して収容部を回転させることによって封止フィルムを収容室の外側から収容部の回転方向に沿って破りながら収容室内に進入することが可能な開封用突起と、接続部に口部が接続されるとともに口部に収容部が接続され且つ封止フィルムが開封された状態で収容室内と容器本体内とを連通する連通孔と、が形成されていることを特徴とする。
【００２４】
このような構成によれば、上述した混合容器セットと同様の作用効果を奏する付加剤収容具を得ることができる。
【発明の効果】
【００２５】
本発明によれば、口部に形成された開封用突起によって封止フィルムを収容部の回転方向に沿って破ることができるので、混合容器セットのコンパクト化を図ることができ、封止フィルムを円滑に開封することができる。
【図面の簡単な説明】
【００２６】
【図１】本発明の第１実施形態に係る混合容器セットを示す模式図である。
【図２】図１の口部及び収容部の分解斜視図である。
【図３】図２の一部断面斜視図である。
【図４】図４Ａは口部に収容部を接続した状態を示す一部省略縦断面図であり、図４Ｂは収容部を口部に対して所定量だけ回転させた状態を示す一部省略縦断面図である。
【図５】図５Ａは図４ＢのＶＡ−ＶＡ線に沿った横断面図であり、図５Ｂは収容部を口部に対して最大締め付け位置まで回転させた状態を示す横断面図である。
【図６】溶剤に付加剤が混合された状態の混合容器セットの一部省略縦断面図である。
【図７】口部から収容部を取り外した状態を示す一部省略縦断面図である。
【図８】本発明の第２実施形態に係る混合容器セットを示す模式図である。
【発明を実施するための形態】
【００２７】
以下、本発明に係る混合容器セット及び付加剤収容具について好適な実施形態を挙げ、添付の図面を参照しながら説明する。なお、図５Ａ及び図５Ｂでは、説明の便宜上、付加剤Ｍ２の図示を省略している。
【００２８】
（第１実施形態）
本発明の第１実施形態に係る混合容器セット１０は、飲食前に容器１２内の溶剤Ｍ１に付加剤Ｍ２を混合して撹拌することにより、味、粘度、成分等を変化させた経口栄養剤（混合剤Ｍ３）を得るためのものである。ただし、混合容器セット１０は、経口栄養剤を得るためのものに限定されない。すなわち、混合容器セット１０は、例えば、使用前に溶剤Ｍ１に付加剤Ｍ２を混合することにより、生体に投与する薬剤（混合剤Ｍ３）を得るためのものであってもよい。
【００２９】
図１〜図３及び図６に示すように、混合容器セット１０は、溶剤Ｍ１を収容する容器１２と、付加剤Ｍ２を収容する収容室１４が形成された収容部１６と、収容室１４内に付加剤Ｍ２を封止する封止フィルム１８とを備えている。容器１２は、パウチ容器として構成されており、可撓性を有する容器本体２０と、容器本体２０に一体的に設けられた口部２２と、口部２２に着脱自在なキャップ２４とを有している。
【００３０】
容器本体２０は、ポリ塩化ビニル、ポリオレフィンのような軟質樹脂製又はアルミニウム製の可撓性を有するフィルム材を重ね、その周縁のシール部において融着又は接着し、袋状に構成されたバッグである。容器本体２０は、透明に構成するのが好ましい。この場合、容器本体２０内の溶剤Ｍ１に付加剤Ｍ２を混合させた際にこれら物質の混ざり具合（溶解具合）を外から容易に視認することができるからである。
【００３１】
図３に示すように、口部２２は、硬質樹脂で一体的に成形されている。口部２２は、容器本体２０に対して融着又は接着された固定部２６と、固定部２６から延出した第１円筒部２８とを有している。固定部２６には、容器本体２０内に連通する貫通孔２６ａが形成されている。固定部２６は、第１円筒部２８の内周面よりも径方向内方に延出している。
【００３２】
固定部２６のうち第１円筒部２８の内孔２８ａに臨む面には、径方向内方に向かって貫通孔２６ａ側に傾斜した傾斜面３０が形成されている。第１円筒部２８の内孔２８ａは、貫通孔２６ａに連通している。第１円筒部２８の内周面には、先端に向かって径方向外方に傾斜した第１テーパ面３２が形成されている。第１円筒部２８の外周面には、第１ねじ部３４が形成されている（図２参照）。
【００３３】
収容部１６は、硬質樹脂によって一体的に成形されており、円筒状の周壁部３６と、周壁部３６の片側の開口を閉塞する閉塞部３８と、周壁部３６内に位置するように閉塞部３８から延出した第２円筒部４０とを備えている。
【００３４】
周壁部３６と第２円筒部４０とは、互いに同軸に設けられている。周壁部３６の内周面には、口部２２の第１ねじ部３４に螺合する第２ねじ部４２が形成されている。第２円筒部４０は、第１ねじ部３４及び第２ねじ部４２が螺合した状態で、第１円筒部２８の内孔２８ａに嵌入される（図４Ａ等参照）。すなわち、収容部１６は、口部２２に対する回転によって口部２２に着脱可能に構成されている。
【００３５】
図２から解かるように、周壁部３６の外周面には、ユーザの手指の滑り止めとして機能する滑り止め部４４が形成されている。本実施形態では、滑り止め部４４は、周壁部３６の略全長に亘って延在する凸部が周壁部３６の全周に亘って所定間隔離間して複数設けられることによって構成されている。このような滑り止め部４４は、例えば、ローレット加工により形成することができる。なお、滑り止め部４４の大きさ及び形状は任意に設定可能であり、周壁部３６の外周面に凹部を形成することによって構成してもよい。
【００３６】
図３に示すように、閉塞部３８の一方の面には、第１円筒部２８の先端面に接触することにより溶剤Ｍ１等が口部２２と収容部１６との間から漏出することを抑えるための円環状のシール突起４６が形成されている。シール突起４６の大きさ及び形状は、任意に設定可能である。
【００３７】
第２円筒部４０の外周面には、先端に向かって径方向内方に傾斜した第２テーパ面４８が形成されている。第２円筒部４０の軸線に対する第２テーパ面４８の傾斜角度は、第１円筒部２８の軸線に対する第１テーパ面３２の傾斜角度と同一に設定されている。そのため、第２テーパ面４８は、第２ねじ部４２を第１ねじ部３４に締め付けた状態で第１テーパ面３２に液密に接触することとなる。これにより、口部２２及び収容部１６の間から溶剤Ｍ１等が漏出することを一層抑えることができる。
【００３８】
第２円筒部４０の内孔は、付加剤Ｍ２を収容する収容室１４として機能する。付加剤Ｍ２は、例えば、粉末剤、錠剤、顆粒剤、液剤等を用いることができる。一般的に、粉末剤は、錠剤及び顆粒剤よりも溶剤Ｍ１に均一に混合（溶解）させ易く、且つ液剤よりも保存期間が長い。そのため、付加剤Ｍ２としては、粉末剤を用いるのが好ましい。
【００３９】
付加剤Ｍ２は、フレーバ（香料）、ゲル化剤、栄養素等を含有することができる。栄養素としては、例えば、分岐鎖アミノ酸（BCAA：branched-chain amino acids）等が挙げられる。
【００４０】
第２円筒部４０の先端面（閉塞部３８とは反対側の端面）には、収容室１４内に付加剤Ｍ２を封止するための封止フィルム１８が接着されている。封止フィルム１８としては、アルミニウム製のフィルムを好適に用いることができるが、樹脂製のフィルム等であってもよい。封止フィルム１８の縁部は、第２円筒部４０の先端面に接着されている。
【００４１】
なお、第２円筒部４０の先端部の外周面には、環状凹部５０が形成されている。環状凹部５０は、製造時に、封止フィルム１８を貼り付けた後、その余分な部分をパンチ切断する際のパンチ刃の逃げ空間（クリアランス）である。これにより、封止フィルム１８を第２円筒部４０の先端部の外形形状に沿って効率的に形成することができる。すなわち、封止フィルム１８が第２円筒部４０の外側にはみ出すことが抑えられるため、封止フィルム１８が第１円筒部２８と第２円筒部４０との間に挟み込まれることを防止することができる。
【００４２】
このように構成される混合容器セット１０では、封止フィルム１８を収容室１４の外側から開封するための開封用突起５２が口部２２に設けられている。具体的には、開封用突起５２は、固定部２６から第１円筒部２８の軸線方向に沿って第１円筒部２８における第２円筒部４０が嵌入される開口部側に向かって突出している。
【００４３】
すなわち、開封用突起５２は、第１ねじ部３４及び第２ねじ部４２を互いに締め付ける（収容部１６を口部２２に対して回転させる）ことによって封止フィルム１８を収容室１４の外側から収容部１６の回転方向に沿って破りながら収容室１４内に進入する（図４Ｂ〜図５Ｂ及び図６参照）。また、開封用突起５２は、封止フィルム１８のうち第２円筒部４０の内周面の近傍に接触するように設けられている（図５Ａ参照）。これにより、封止フィルム１８を第２円筒部４０の内周面に沿って比較的大きく開封することができる。
【００４４】
開封用突起５２は、封止フィルム１８を３６０°の範囲で破らない（封止フィルム１８が第２円筒部４０から切り離されない）ように、第１円筒部２８の周方向に所定角度だけ延在している。前記所定角度は、３０°以上９０°以下、好ましくは、４５°以上７５°以下、さらに好ましくは６０°に設定される。
【００４５】
前記所定角度が３０°よりも小さいと、封止フィルム１８を開封するために必要な収容部１６の口部２２に対する回転量が比較的多くなる（第１ねじ部３４及び第２ねじ部４２の長さが長くなる）ため混合容器セット１０が大きくなり易い。一方、前記所定角度が９０°よりも大きいと、封止フィルム１８が３６０°の範囲で破れるおそれがある。前記所定角度が６０°であれば、封止フィルム１８が３６０°の範囲で破れることを確実に抑えることができるとともに混合容器セット１０のコンパクト化を好適に図ることができる。
【００４６】
このような開封用突起５２を備える場合、第１ねじ部３４及び第２ねじ部４２は、最大締め付け位置に達したときに、開封用突起５２により封止フィルム１８が収容部１６の回転方向に３６０°未満の所定角度θ（例えば、３００°）だけ破られるように形成されている（図５Ｂ参照）。これにより、開封用突起５２によって封止フィルム１８が収容部１６から切り離されることを一層抑えることができる。
【００４７】
なお、所定角度θは、１８０°以上が好ましく、３００°がより好ましい。これにより、付加剤Ｍ２の重さによって、封止フィルム１８の切り離された部分がめくれやすくなるとともに、完全に切り離されにくくなる。
【００４８】
開封用突起５２のうち第１円筒部２８の径方向内方を指向する内面は、先端に向かって径方向外側に傾斜している。換言すれば、開封用突起５２は、先端側に向かって徐々に薄肉に形成されている。これにより、開封用突起５２の先端部を封止フィルム１８に対して容易に貫通させることができる。
【００４９】
本実施形態に係る混合容器セット１０は、基本的には以上のように構成されるものであり、次に、混合容器セット１０の使用方法について説明する。なお、初期状態において、容器本体２０はキャップ２４によって封止されている。
【００５０】
図１に示すように、まず、ユーザは、容器本体２０からキャップ２４を取り外し、所望の付加剤Ｍ２が収容されている収容部１６を容器１２の口部２２に接続する。すなわち、ユーザは、滑り止め部４４を把持した状態で、第２ねじ部４２を第１ねじ部３４に螺合させて収容部１６を口部２２に対して第１ねじ部３４及び第２ねじ部４２が互いに締め付けられる方向（Ｒ１方向）に回転させる（図４Ａ参照）。
【００５１】
そうすると、第１ねじ部３４及び第２ねじ部４２が互いに締め付けられ、開封用突起５２の先端が封止フィルム１８の外表面に接触する。そして、封止フィルム１８がＲ１方向に回転しながら開封用突起５２の先端に向かって押し付けられるため、開封用突起５２の先端部が封止フィルム１８のうち第１円筒部２８の内周面の近傍を貫通する（図４Ｂ及び図５Ａ参照）。
【００５２】
次いで、収容部１６をＲ１方向にさらに回転させると、封止フィルム１８は、開封用突起５２のＲ２方向の側面に接触しながらＲ１方向に回転するとともに開封用突起５２の基端側に進行する。換言すれば、開封用突起５２が収容室１４内に進行する。そのため、封止フィルム１８の破断部５４は、拡幅しながらＲ１方向に沿って広がる。
【００５３】
そして、第１ねじ部３４及び第２ねじ部４２の最大締め付け位置まで収容部１６を回転させると、封止フィルム１８は、開封用突起５２によって周方向に所定角度θ（例えば、３００°）だけ破られて開封する（図５Ｂ参照）。このとき、図６に示すように、収容室１４内は、封止フィルム１８の破断部５４、口部２２の連通孔（第１円筒部２８の内孔２８ａ及び固定部２６の貫通孔２６ａ）を介して容器本体２０内に連通するため、収容室１４内の付加剤Ｍ２が容器本体２０内に導入される。
【００５４】
なお、本実施形態では、付加剤Ｍ２は傾斜面３０によって固定部２６の貫通孔２６ａに導かれるため、口部２２に付加剤Ｍ２が残留することを抑えることができる。さらに、封止フィルム１８は、周方向に所定角度（６０°）だけ破られずに残っているため、封止フィルム１８の一部が収容部１６から切り離されて容器本体２０内に脱落することはない（図５Ｂ及び図６参照）。
【００５５】
また、第１ねじ部３４及び第２ねじ部４２の最大締め付け位置では、第１テーパ面３２と第２テーパ面４８とが互いに液密に接触するとともにシール突起４６が弾性変形した状態で第１円筒部２８の先端面に液密に接触している。すなわち、容器１２内の溶剤Ｍ１等が口部２２及び収容部１６の間から漏出することが抑えられている。
【００５６】
その後、ユーザは、収容部１６付きの容器本体２０を振ることにより付加剤Ｍ２が加えられた溶剤Ｍ１を撹拌する。これにより、混合剤Ｍ３が得られる。続いて、図７に示すように、ユーザは、収容部１６を口部２２から取り外し、固定部２６の貫通孔２６ａ及び第１円筒部２８の内孔２８ａを介して混合剤Ｍ３を飲食する。
【００５７】
本実施形態によれば、開封用突起５２によって封止フィルム１８を収容部１６のＲ１方向に沿って破ることができるので、混合容器セット１０のコンパクト化を図ることができる。また、開封用突起５２を収容室１４内ではなく口部２２に形成しているので、開封用突起５２を封止フィルム１８に対して直接的に接触させることができる。これにより、封止フィルム１８を円滑に開封することができる。
【００５８】
本実施形態によれば、口部２２が、第１ねじ部３４が形成された第１円筒部２８を有し、収容部１６が、第２ねじ部４２が形成された周壁部３６と、周壁部３６の片方の開口を閉塞する閉塞部３８と、閉塞部３８から延出するとともに第１円筒部２８の内孔２８ａに嵌入可能な第２円筒部４０を有している。そして、第２円筒部４０内に形成された収容室１４を当該第２円筒部４０に接着された封止フィルム１８によって封止し、第１円筒部２８の内孔２８ａに封止フィルム１８を開封する開封用突起５２が位置している。これにより、簡易な構成により開封用突起５２を収容室１４の外側から封止フィルム１８に接触させることができる。
【００５９】
（第２実施形態）
次に、本発明の第２実施形態に係る混合容器セット１０Ａについて図８を参照しながら説明する。なお、第２実施形態に係る混合容器セット１０Ａにおいて、第１実施形態に係る混合容器セット１０と同一の構成要素には同一の参照符号を付し、詳細な説明は省略する。
【００６０】
図８に示すように、本実施形態に係る混合容器セット１０Ａは、容器１２ａと付加剤収容具５６とを備えている。容器１２ａは、容器本体２０と、容器本体２０に固定された中空状の第１接続部５８と、第１接続部５８の開口を閉塞する閉塞キャップ６０とを有している。
【００６１】
付加剤収容具５６は、口部２２ａと収容部１６とを有している。すなわち、本実施形態において、口部２２ａは、容器本体２０に対して分離しており、第１接続部５８に対して液密に接続可能な第２接続部６２を有している。第２接続部６２は、上述した固定部２６を第１接続部５８に接続可能な構成にしたものである。口部２２ａは、第１接続部５８に対して着脱可能に構成されていてもよいし、第１接続部５８に対して装着すると取り外すことができないように構成されていてもよい。
【００６２】
本実施形態に係る付加剤収容具５６及び混合容器セット１０Ａは、上述した第１実施形態に係る混合容器セット１０と同様の作用効果を奏する。
【００６３】
本発明に係る混合容器セットは、上述の実施形態に限らず、本発明の要旨を逸脱することなく、種々の構成を採り得ることはもちろんである。
【符号の説明】
【００６４】
１０、１０Ａ…混合容器セット        １２、１２ａ…容器
１４…収容室                        １６…収容部
１８…封止フィルム                  ２０…容器本体
２２、２２ａ…口部                  ２６…固定部
２８…第１円筒部                    ３２…第１テーパ面
３４…第１ねじ部                    ３６…周壁部
３８…閉塞部                        ４０…第２円筒部
４２…第２ねじ部                    ４６…シール突起
４８…第２テーパ面                  ５２…開封用突起
【図１】
2017137114.tif 000003
【図２】
2017137114.tif 000004
【図３】
2017137114.tif 000005
【図４】
2017137114.tif 000006
【図５】
2017137114.tif 000007
【図６】
2017137114.tif 000008
【図７】
2017137114.tif 000009
【図８】
2017137114.tif 000010